(57)【特許請求の範囲】
【請求項１】
電源に対して主巻線と、運転用コンデンサが直列に接続されている補助巻線とを並列接続して構成され、前記主巻線と運転用コンデンサの接続点と、前記電源の一端との間に抵抗成分を設け、前記補助巻線と前記運転用コンデンサの接続点に一端を接続された始動用コンデンサを設け、始動時に同始動用コンデンサの他端に前記電源の一端を接続する一方、運転時に同電源の一端を切り換え、前記主巻線と運転用コンデンサの接続点に接続し、前記抵抗成分を短絡するリレーとを設けてなるコンデンサ誘導電動機の始動装置において、
前記抵抗成分の両端に抵抗成分電圧センサを設け、同抵抗成分電圧センサの検出電圧が、始動後に所定電圧まで低下したとき前記リレーを始動時から運転時へ切換えてなることを特徴とするコンデンサ誘導電動機の始動装置。
【請求項２】
電源に対して主巻線と、運転用コンデンサが直列に接続されている補助巻線とを並列接続して構成され、前記主巻線と運転用コンデンサの接続点と、前記電源の一端との間に抵抗成分を設け、前記補助巻線と前記運転用コンデンサの接続点に一端を接続された始動用コンデンサを設け、始動時に同始動用コンデンサの他端に前記電源の一端を接続する一方、運転時に同電源の一端を切り換え、前記主巻線と運転用コンデンサの接続点に接続し、前記抵抗成分を短絡するリレーとを設けてなるコンデンサ誘導電動機の始動装置において、
前記始動用コンデンサの両端に始動用コンデンサ電圧センサを設け、同始動用コンデンサ電圧センサの検出電圧が所定電圧まで上昇したとき、前記リレーを始動時から運転時へ切換えてなることを特徴とするコンデンサ誘導電動機の始動装置。
【請求項３】
前記リレーが、一方を通電状態に他方を遮断状態にする一対の一端が接続された双方向サイリスタであることを特徴とする請求項１または請求項２記載のコンデンサ誘導電動機の始動装置。
【発明の詳細な説明】
【０００１】
【発明の属する技術分野】
本発明は、コンデンサ誘導電動機の始動装置に係り、詳しくは始動回路に関する。
【０００２】
【従来の技術】
図４は、従来のコンデンサ誘導電動機の始動装置の一例を示す接続図、図５は、従来のコンデンサ誘導電動機の始動装置の説明図である。
従来のコンデンサ誘導電動機の始動装置は、電源１に対して主巻線２ａと、運転用コンデンサ３が直列に接続されている補助巻線２ｂとを並列接続してコンデンサ誘導電動機２を構成し、前記主巻線２ａと運転用コンデンサ３の接続点と、前記電源１の一端との間に抵抗成分５を設ける。
また、前記補助巻線２ｂと前記運転用コンデンサ３の接続点に一端を接続された始動用コンデンサ４を設ける。
そして、始動時に同始動用コンデンサ４の他端に前記電源１の一端を接続する一方、運転時に同電源１の一端を切り換え、前記主巻線２ａと運転用コンデンサ３の接続点に接続し、前記抵抗成分５を短絡するリレー６とを設けている。
【０００３】
上述の従来例のようにして、圧縮機に使用すると始動時に過大電流が流れ、それに伴い電源電圧の降下を発生することを防止し、この過大電流および電圧降下を海外数カ国において規制され始めていることに対処している。
しかしながら、始動時間が長くなるとコンデンサ誘導電動機２のトルクが増大し、前記始動用コンデンサ４の両端電圧が上昇する。
この両端電圧の最大電圧が、前記リレー６を始動時から運転時に切換えるタイミングによっては、前記始動用コンデンサ４の耐圧を超え過電圧となるおそれがある問題を生じていた。
【０００４】
【発明が解決しようとする課題】
本発明の目的は、上記従来の問題点に鑑みなされたもので、始動時の過大電流を削減するとともに、始動用コンデンサの信頼性を向上したコンデンサ誘導電動機の始動装置を提供することにある。
【０００５】
【課題を解決するための手段】
上記目的を達成するために、電源に対して主巻線と、運転用コンデンサが直列に接続されている補助巻線とを並列接続して構成され、前記主巻線と運転用コンデンサの接続点と、前記電源の一端との間に抵抗成分を設け、前記補助巻線と前記運転用コンデンサの接続点に一端を接続された始動用コンデンサを設け、始動時に同始動用コンデンサの他端に前記電源の一端を接続する一方、運転時に同電源の一端を切り換え、前記主巻線と運転用コンデンサの接続点に接続し、前記抵抗成分を短絡するリレーとを設けてなるコンデンサ誘導電動機の始動装置において、
前記抵抗成分の両端に抵抗成分電圧センサを設け、同抵抗成分電圧センサの検出電圧が、始動後に所定電圧まで低下したとき前記リレーを始動時から運転時へ切換えてなるようにする。
【０００６】
または、電源に対して主巻線と、運転用コンデンサが直列に接続されている補助巻線とを並列接続して構成され、前記主巻線と運転用コンデンサの接続点と、前記電源の一端との間に抵抗成分を設け、前記補助巻線と前記運転用コンデンサの接続点に一端を接続された始動用コンデンサを設け、始動時に同始動用コンデンサの他端に前記電源の一端を接続する一方、運転時に同電源の一端を切り換え、前記主巻線と運転用コンデンサの接続点に接続し、前記抵抗成分を短絡するリレーとを設けてなるコンデンサ誘導電動機の始動装置において、
前記始動用コンデンサの両端に始動用コンデンサ電圧センサを設け、同始動用コンデンサ電圧センサの検出電圧が所定電圧まで上昇したとき、前記リレーを始動時から運転時へ切換えてなるようにする。
【０００７】
そして、前記リレーが、一方を通電状態に他方を遮断状態にする一対の一端が接続された双方向サイリスタであるようにする。
【０００８】
【発明の実施の形態】
発明の実施の形態を実施例に基づき添付図面を参照して詳細に説明する。
図１は、本発明によるコンデンサ誘導電動機の始動装置の一実施例を示す接続図、図３は、本発明によるコンデンサ誘導電動機の始動装置の説明図であり、（ｂ）は時間に対する抵抗成分の両端電圧を示す。
ここで、１は電源、２は電動機本体、２ａは主巻線、２ｂは補助巻線、３は運転用コンデンサ、４は始動用コンデンサ、５は抵抗成分、６はリレー、７は抵抗成分電圧センサを示す。
なお、従来と同じ部分の符号は同一とする。
【０００９】
電源１に対して主巻線２ａと、運転用コンデンサ３が直列に接続されている補助巻線２ｂとを並列接続してコンデンサ誘導電動機２を構成する。
そして、前記主巻線２ａと運転用コンデンサ３の接続点と、前記電源１の一端との間に抵抗成分５を設ける。
また、前記補助巻線２ｂと前記運転用コンデンサ３の接続点に一端を接続された始動用コンデンサ４を設ける。
そして、始動時に同始動用コンデンサ４の他端に前記電源１の一端を接続する一方、運転時に同電源１の一端を切り換え、前記主巻線２ａと運転用コンデンサ３の接続点に接続し、前記抵抗成分５を短絡するリレー６とを設けている。
【００１０】
ここで、前記抵抗成分５の両端に抵抗成分電圧センサ７を設け、同抵抗成分電圧センサ７の検出電圧が、始動後に所定電圧まで低下したとき前記リレー６を始動時から運転時へ切換を行うようにしている。
【００１１】
次いで、本発明の作用、効果について説明する。
前記抵抗成分電圧センサ７の検出電圧が所定電圧よりも低くなったときに前記リレー６の切換を行うが、このときの前記始動用コンデンサ４の両端電圧は少し上昇し、トルクも増大する途中にある。
【００１２】
しかしながら、前記始動用コンデンサ４の耐圧よりも十分に低い電圧であり、このために前記始動用コンデンサ４の過電圧とはならない状態で始動時から運転時に切換えを行うことができる。
【００１３】
図２は、本発明によるコンデンサ誘導電動機の始動装置の他の実施例を示す接続図、図３は、本発明によるコンデンサ誘導電動機の始動装置の説明図であり、（ａ）は時間に対する始動用コンデンサの両端電圧を示す。
この実施例の場合、電動機本体前記リレー６が、一方を通電状態に他方を遮断状態にする一対の一端が接続された双方向サイリスタ６ａ、６ｂであるようにする。
また、前記双方向サイリスタ６ａ、６ｂの始動時から運転時への切換を、前記始動用コンデンサ４の両端に始動用コンデンサ電圧センサ８を設け、同始動用コンデンサ電圧センサ８の検出電圧が所定電圧まで上昇したときに行うようにしている。
【００１４】
次いで、本発明の作用、効果について説明する。
前記双方向サイリスタ６ａ、６ｂを用いているので、機械的接点のチャタリング等による切換時の電気的ノイズ、異常高圧の発生を防止でき、始動装置を安定に動作させることができる。
また、前記双方向サイリスタ６ａ、６ｂの始動時から運転時への切換を、前記始動用コンデンサ電圧センサ８の検出電圧が所定電圧まで上昇したときに行うようにしているので、該所定電圧から耐圧を決定した前記始動用コンデンサ４を使用することが可能となり、該始動用コンデンサ４のコスト削減および電動機本体２の信頼性を向上させることができる。
【００１５】
【発明の効果】
以上のように本発明においては、電源に対して主巻線と、運転用コンデンサが直列に接続されている補助巻線とを並列接続して構成され、前記主巻線と運転用コンデンサの接続点と、前記電源の一端との間に抵抗成分を設け、前記補助巻線と前記運転用コンデンサの接続点に一端を接続された始動用コンデンサを設け、始動時に同始動用コンデンサの他端に前記電源の一端を接続する一方、運転時に同電源の一端を切り換え、前記主巻線と運転用コンデンサの接続点に接続し、前記抵抗成分を短絡するリレーとを設けてなるコンデンサ誘導電動機の始動装置において、
前記抵抗成分の両端に抵抗成分電圧センサを設け、同抵抗成分電圧センサの検出電圧が、始動後に所定電圧まで低下したとき前記リレーを始動時から運転時へ切換えてなるようにした。
この結果、始動時の過大電流を削減するとともに、始動用コンデンサのコスト削減及び電動機本体の信頼性を向上したコンデンサ誘導電動機の始動装置を提供することができる。
【図面の簡単な説明】
【図１】本発明によるコンデンサ誘導電動機の始動装置の一実施例を示す接続図である。
【図２】本発明によるコンデンサ誘導電動機の始動装置の他の実施例を示す接続図である。
【図３】本発明によるコンデンサ誘導電動機の始動装置の説明図であり、（ａ）は時間に対する始動用コンデンサの両端電圧、（ｂ）は時間に対する抵抗成分の両端電圧を示す。
【図４】従来のコンデンサ誘導電動機の始動装置の一例を示す接続図である。
【図５】従来のコンデンサ誘導電動機の始動装置の説明図である。
【符号の説明】
１  電源
２  電動機本体
２ａ  主巻線
２ｂ  補助巻線
３  運転用コンデンサ
４  始動用コンデンサ
５  抵抗成分
６  リレー
６ａ  双方向サイリスタ
６ｂ  双方向サイリスタ
７  抵抗成分電圧センサ
８  始動用コンデンサ電圧センサ
【図１】
0004491895.tif 000002
【図２】
0004491895.tif 000003
【図３】
0004491895.tif 000004
【図４】
0004491895.tif 000005
【図５】
0004491895.tif 000006